(57)【要約】【課題】  給排水ホース等の損傷を簡単な構成で回避することができる食器洗浄機の転倒防止フック構造を提供すること。【解決手段】  この転倒防止フック構造は、本体ケースに対して引き出し可能に設けられた洗浄槽を有する食器洗浄機を、キッチンの食器洗浄機収納部内に配置するための食器洗浄機の転倒防止フック構造であって、本体ケースの後端部に設けられた係合部材２０と、食器洗浄機収納部内に設けられ、係合部材２０が係合するための係合フック１１と、を備え、係合フック１１は、洗浄槽を引き出す方向と直交する方向において、食器洗浄機収納部の内方側が開放されているコ字状断面を有する。【選択図】  図８
2009005742.tif 000002
【特許請求の範囲】
【請求項１】
本体ケースに対して引き出し可能に設けられた洗浄槽を有する食器洗浄機を、キッチンの食器洗浄機収納部内に配置するための前記食器洗浄機の転倒防止フック構造であって、
前記本体ケースの後端部に設けられた係合部材と、
前記食器洗浄機収納部内に設けられ、前記係合部材が係合するための係合フックと、を備え、
前記係合フックは、前記洗浄槽を引き出す方向と直交する方向において、前記食器洗浄機収納部の内方側が開放されているコ字状断面を有することを特徴とする転倒防止フック構造。
【請求項２】
前記係合部材と前記係合フックとは、前記本体ケース及び前記食器洗浄機収納部の対応する一側の端部にそれぞれ設けられていることを特徴とする請求項１に記載の転倒防止フック構造。
【請求項３】
前記係合部材と前記係合フックとは、前記本体ケース及び前記食器洗浄機収納部の対応する一側にそれぞれ設けられ、前記食器洗浄機に給排水するための給排水ホースは前記食器洗浄機の他側に設けられていることを特徴とする請求項１に記載の転倒防止フック構造。
【請求項４】
前記係合部材と前記係合フックとは、前記本体ケース及び前記食器洗浄機収納部の対応する一側にそれぞれ設けられ、
前記係合フックを保持するための係合フックベースは、前記食器洗浄機収納部の側壁に沿う立壁を備えたＬ字状断面を有することを特徴とする請求項１に記載の転倒防止フック構造。
【請求項５】
前記係合部材が前記係合フックに対して点接触若しくは前記立壁に平行となる線接触となるように、前記係合部材および前記係合フックが構成されていることを特徴とする請求項４に記載の転倒防止フック構造。
【請求項６】
前記係合フックの前記コ字状断面における開口は、前記食器洗浄機に給排水するための給排水ホースの外径寸よりも高さ方向において広くなるように形成されていることを特徴とする請求項１に記載の転倒防止フック構造。
【請求項７】
前記係合部材は、その先端が下方に折れ曲げるように形成され、前記食器洗浄機に給排水するための給排水ホースに当接するように形成された折曲形成部を有し、
前記折曲形成部は、前記係合フックの前記コ字状断面における開口と前記給排水ホースとの間に生じうる隙間よりも高さ方向において長くなるように形成されていることを特徴とする請求項１に記載の転倒防止フック構造。
【請求項８】
前記食器洗浄機収納部は後方が開放されており、その開放部分に前記係合フックが突出するように設けられていることを特徴とする請求項１に記載の転倒防止フック構造。
【請求項９】
前記食器洗浄機収納部は後方が開放されており、その開放部分に前記食器洗浄機に給排水するための給排水ホースを落下させるように、前記係合フックには傾斜ガイド面が形成されていることを特徴とする請求項１に記載の転倒防止フック構造。
【発明の詳細な説明】
【技術分野】
【０００１】
本発明は、本体ケースに対して引き出し可能に設けられた洗浄槽を有する食器洗浄機を、キッチンの食器洗浄機収納部内に配置する場合における食器洗浄機の転倒防止フック構造に関する。
【背景技術】
【０００２】
本体ケースに対して引き出し可能に設けられた洗浄槽を有する食器洗浄機を、キッチンの食器洗浄機収納部内に配置する場合における転倒防止フック構造として、食器洗浄機収納部内後方に転倒防止フックを設けるものが知られている（例えば、下記特許文献１参照）。
【０００３】
下記特許文献１に記載されている転倒防止フック構造は、収納キャビネットに取り付けられる転倒防止治具と、食器洗浄機の本体ケースに取り付けられ、収納キャビネットに取り付けられた転倒防止治具と係合して食器洗浄機が転倒することを防止する機能を果たす本体側係合部と、を備えている。
【０００４】
この食器洗浄機において、転倒防止治具は食器洗浄機を収納する方向（前後方向）における断面がコ字状の部材であり、本体ケースに設けられた本体側係合部はスリット状の構造部である。この食器洗浄機は、転倒防止治具の先端部がスリット状の本体係合部に嵌り込むことにより転倒防止が図られるように構成されている。
【特許文献１】特開２００４−１４７７４０号公報
【発明の開示】
【発明が解決しようとする課題】
【０００５】
しかしながら、上記特許文献１に記載されている転倒防止フック構造は、転倒防止治具が収納キャビネットの奥側に配設されているため、本体ケースの据え付けの際に、本体ケース自体が前面を塞ぐような構成となっている。そのため、食器洗浄機を配置する際には給排水ホース等がある後方は非常に見えにくく、本体ケースの背面側に取り付けられた給排水ホース等が収納キャビネット後部のスペースに収容される前に転倒防止治具に引っ掛かる場合があり、給排水ホース等を傷つけてしまう場合がある。
【０００６】
そこで本発明では、本体ケースに対して出し入れ可能に設けられた洗浄槽を有する食器洗浄機を、キッチンの食器洗浄機収納部内に配置する場合における食器洗浄機の転倒防止フック構造であって、給排水ホース等の損傷を簡単な構成で回避することができる転倒防止フック構造を提供することを目的とする。
【課題を解決するための手段】
【０００７】
本発明に係る転倒防止フック構造は、本体ケースに対して引き出し可能に設けられた洗浄槽を有する食器洗浄機を、キッチンの食器洗浄機収納部内に配置するための食器洗浄機の転倒防止フック構造であって、本体ケースの後端部に設けられた係合部材と、食器洗浄機収納部内に設けられ、係合部材が係合するための係合フックと、を備え、係合フックは、洗浄槽を引き出す方向と直交する方向において、食器洗浄機収納部の内方側が開放されているコ字状断面を有する。
【０００８】
本発明によれば、係合フックがコ字状断面を有するように形成するので、簡単な構成で係合部材と係合させることができる。係合フックのコ字状断面は、洗浄槽の引き出し方向に直交する方向であって食器洗浄機収納部の内方側が解放された断面として形成されているので、洗浄槽の引き出し方向に沿って食器洗浄機を食器洗浄機収納部内に配置する際に食器洗浄機から延びている給排水ホース等が係合フックに嵌まってしまった場合でも、食器洗浄機を押し込むことで給排水ホースをそのまま後方に押し出すことができる。
【０００９】
また、請求項２に係る転倒防止フック構造は、係合部材と係合フックとが、本体ケース及び食器洗浄機収納部の対応する一側の端部にそれぞれ設けられている。この態様によれば、係合部材及び係合フックを、洗浄槽の引き出し方向に直交する方向における一方の側に偏倚させて設けているので、給排水ホースが係合フックに嵌り込みにくくなる。また、係合部材及び係合フックは一側の端部にのみ設けられているので、係合部材及び係合フックを最小限の個数とすることができる。
【００１０】
また、請求項３に係る転倒防止フック構造は、係合部材と係合フックとが、本体ケース及び食器洗浄機収納部の対応する一側にそれぞれ設けられ、食器洗浄機に給排水するための給排水ホースは食器洗浄機の他側に設けられている。この態様によれば、係合部材及び係合フックと給排水ホースとをそれぞれ別の側に設けているので、係合部材及び係合フックと給排水ホースとの距離を引き離すことができ、給排水ホースが係合フックに嵌り込みにくくなる。
【００１１】
また、請求項４に係る転倒防止フック構造は、係合部材と係合フックとが、本体ケース及び食器洗浄機収納部の対応する一側にそれぞれ設けられ、係合フックを保持するための係合フックベースは、食器洗浄機収納部の側壁に沿う立壁を備えたＬ字状断面を有する。本体ケースから洗浄槽を引き出し可能に設けた食器洗浄機では、洗浄槽を最も引き出した状態では食器洗浄機の重心が最も前方に移動し、かつレバー長が最大となるため係合フックベースに作用する曲げモーメント力が最大値の状態となる。更にこの状態においては、洗浄槽の重さに加えて食器の重さが加わるだけでなく使用者の押し下げ力が作用する場合もあるため、非常に大きな力が係合フックベースに上方向の垂直荷重として作用する。特に、係合フックベースは、給排水ホースとの干渉をより効果的に回避するため、一側に偏倚させて設けられているので、中心付近に設ける場合に比較してレバー長がより長くなって大きな力が作用する。係合フックベースはこの大きな荷重が作用しても変形が生じないように作る必要があるが、この大きな荷重に抗するように係合フックベースを構築すると、大きくて強靭な物として作る必要があった。係合フックベースが大きくなっても洗浄槽の大きさは従来と変わらず確保したいが、食器洗浄機収納部の大きさを広げることは他のキッチン部材との関係から難しく、結果として洗浄槽の空間を犠牲にすることに?がっていた。このような課題に対し、本請求項に係る転倒防止フック構造においては、係合フックベースに作用する垂直方向の入力荷重と平行になるように係合フックベースに垂直方向に立設した立壁を備えたことによって、係合フックベースへの入力荷重を効率よくこの立壁で支えることができることから、構造を簡単なものとできる。さらに、この立壁を食器洗浄機収納部の側壁に沿うようにし、係合フックベースをＬ字状としたことで、食器洗浄機収納部に食器洗浄機を収納する際の妨げとなる突起や部材を排除することができ、洗浄槽の空間を犠牲にすることがない。さらに、係合フックベースの立壁を食器洗浄機収納部の側壁に沿わせることで、例えば係合フックベースに捩れを生じさせるような入力荷重があった場合でも、立壁から側壁に荷重が伝達されるので荷重分散を図ることができ、簡単でシンプルな係合フックベースであっても変形を確実に抑えることができる。
【００１２】
また、請求項５に係る転倒防止フック構造は、係合部材が係合フックに対して点接触若しくは立壁に平行となる線接触となるように、係合部材および係合フックが構成されている。この態様によれば、係合部材が係合フックに対して点接触若しくは立壁に平行となる線接触となるように構成されているので、係合フックベースを捩るような力が作用することを抑制して、Ｌ字状断面というシンプルな構造であっても確実に荷重を支えることができるようにしたものである。具体的には、係合フックベースは給排水ホースとの干渉を避ける為に一側に設けられているため、係合フックベースには大きな捩りモーメントが作用する。Ｌ字状の係合フックベースでは、この捩りモーメントに対して立壁が捩られることでこの入力加重に対抗する必要があるが、その捩り抗力のみで対抗しようとすると板厚を相当に厚くするなどの対策が必要であり、係合フックベースが大きくなって洗浄槽の空間が大きく犠牲になってしまう。本請求項に係る転倒防止フック構造は、Ｌ字状断面の唯一の強度部分をねじるような力が作用するのを防止して確実にこの立壁だけで強度を保てるように工夫したものである。すなわち、係合フックと係合部材とが点接触となるようにすれば、係合フックを垂直に持ち上げるような力が作用し、係合フック及び係合フックベースを捩るような力は働きにくくなる。また、係合フックと係合部材とが立壁と平行の線接触となるようにすれば、同様に立壁を捩るような力は働きにくくなる。従って、Ｌ字状の係合フックベースであっても立壁が確実に荷重に対抗する力を発揮するため、大きな転倒荷重が入力されても変形することなく支えることがきる。
【００１３】
また、請求項６に係る転倒防止フック構造では、係合フックのコ字状断面における開口は、食器洗浄機に給排水するための給排水ホースの外径寸よりも高さ方向において広くなるように形成されている。この態様によれば、給排水ホースが係合フックに嵌り込んでも、給排水ホースの外径寸よりも係合フックの開口が広くなっているので、給排水ホースが係合フックに嵌り込み続けることなく後方に押し出される。
【００１４】
また、請求項７に係る転倒防止フック構造では、係合部材は、その先端が下方に折れ曲げるように形成され、食器洗浄機に給排水するための給排水ホースに当接するように形成された折曲形成部を有し、折曲形成部は、係合フックのコ字状断面における開口と給排水ホースとの間に生じうる隙間よりも高さ方向において長くなるように形成されている。この態様によれば、食器洗浄機に設けられた係合部材の先端に折曲形成部が設けられ、この折曲形成部は給排水ホースに当接するように形成されているので、給排水ホースが係合フックに嵌り込んだ場合であっても、折曲形成部が給排水ホースに当接して係合フックから後方に押し出し、給排水ホースが係合フックに嵌り込み続けることがない。
【００１５】
また、請求項８に係る転倒防止フック構造では、食器洗浄機収納部は後方が開放されており、その開放部分に係合フックが突出するように設けられている。この態様によれば、食器洗浄機収納部後方の開放部分に係合フックが突出しているので、係合フックに嵌り込んだ後に押し出された給排水ホースがその開放部分に落とし込まれるため係合フックから給排水ホースが無理なく外れやすくなる。
【００１６】
また、請求項９に係る転倒防止フック構造では、食器洗浄機収納部は後方が開放されており、その開放部分に食器洗浄機に給排水するための給排水ホースを落下させるように、係合フックには傾斜ガイド面が形成されている。この態様によれば、係合フックに傾斜ガイド面が形成され、その傾斜ガイド面から給排水ホースが開放部分に落とし込まれるので、より容易に給排水ホースを開放部分に落とし込むことができる。
【発明の効果】
【００１７】
本発明によれば、給排水ホース等の損傷を簡単な構成で回避することができると共に、簡単な構成でより確実に食器洗浄機の転倒を防止することが可能な転倒防止フック構造を提供できる。
【発明を実施するための最良の形態】
【００１８】
以下、添付図面を参照しながら本発明の好適な実施の形態について説明する。説明の理解を容易にするため、各図面において同一の構成要素に対しては可能な限り同一の符号を付して、重複する説明は省略する。
【００１９】
本発明の実施形態に係る転倒防止フック構造について、図１を参照しながら説明する。図１は、本実施形態の転倒防止フック構造が適用されたキッチンＫを示した図である。キッチンＫは、キャビネットＣＢにカウンターＣを載置して構成されている。キャビネットＣＢ内には、食器洗浄機ＷＭを載置するための載置板Ｋ２が設けられており、その載置板Ｋ２の上方には食器洗浄機ＷＭを収めるための食器洗浄機収納部Ｋ１が形成されている。
【００２０】
食器洗浄機ＷＭは、本体ケース２と洗浄槽３とを備えている。洗浄槽３は本体ケース２に対して引き出し可能なように構成されている。図１に示すように、洗浄槽３に食器を入れるためには洗浄槽３を手前に引き出すことになり、洗浄槽３に食器を入れていくと食器洗浄機ＷＭの重心位置がキッチンＫの外部に移動し、食器洗浄機ＷＭが手前側に転倒する恐れがある。
【００２１】
本実施形態では、食器洗浄機ＷＭの転倒を防止するために、キャビネットＣＢの載置板Ｋ２に係合フック部材１０を、食器洗浄機ＷＭの本体ケース２後端部に係合部材２０をそれぞれ取り付けている。
【００２２】
図２に、係合フック部材１０及び係合部材２０近傍（Ａ領域）の拡大図を示す。キッチンＫの食器洗浄機収納部Ｋ１に食器洗浄機ＷＭを収めると、図２に示すように、係合フック部材１０に係合部材２０が係合し、食器洗浄機ＷＭの転倒を防止することができる。係合フック部材１０は、係合部材２０が係合するための係合フック１１と、係合フック１１を保持するための係合フックベース１２とを備えている。係合フック１１は、載置板Ｋ２よりも後方に突出して保持されている。従って、係合フック１１は、食器洗浄機収納部Ｋ１の後方壁面側に設けられている解放部分（載置板Ｋ２が無く、床面まで解放されている部分）に突出するように設けられている。
【００２３】
図３に、キッチンＫを後方壁面側から見た図を示す。図３に示すように、係合フック部材１０及び係合部材２０は、それぞれが食器洗浄機収納部Ｋ１及び本体ケース２の対応する一側（図３では、キッチンＫを後方壁面側から見て左側）の端部に設けられている。
【００２４】
また、食器洗浄機ＷＭに給排水するための給排水ホース４は、係合フック部材１０及び係合部材２０が設けられている一側とは反対側の他側において本体ケース２から延出するように設けられている。
【００２５】
図４に、載置板Ｋ２に係合フック部材１０を取り付けた状態を示す平面図を示す。図４に示すように、係合フック部材１０は、２個のネジで載置板Ｋ２に取り付けられている。係合フック部材１０は、側板Ｋ３と後方壁面ＢＷと載置板Ｋ２とによって形成される開放部分Ｋ４に、係合フック１１を突出させて取り付けられている。
【００２６】
引き続いて、係合フック部材１０について図５を参照しながら説明する。図５は、係合フック部材１０の平面図である。係合フック部材１０は、金属板を折り曲げて形成されており、係合フック１１と係合フックベース１２とが一体的に形成されている。
【００２７】
係合フックベース１２は、係合フック１１を保持するための保持部分１２１と、載置板Ｋ２に取り付けるための取付部分１２２とによって構成されている。保持部分１２１は、載置板Ｋ２と沿う面においては略台形の形状を成している。保持部分１２１は、係合フック１１に向うに従ってその幅が狭くなるように傾斜して形成されている。保持部分１２１の傾斜面は、傾斜ガイド面１２１ａであって、給排水ホースを開放部分に落下させ易いように設けられている。保持部分１２１の傾斜ガイド面１２１ａは、係合フック１１においても連続しており、機能的にも同様に給排水ホースを開放部分に落下させ易いように設けられている。
【００２８】
取付部分１２２は、載置板Ｋ２と沿う面においては鉤形の形状を成している。取付部分１２２は、保持部分１２１の最も幅の広い部分と同じ幅の幅広部分と、その幅よりも狭い狭幅部分とを有している。取付部分１２２には４個の取付穴が設けられており、幅広部分に取付穴１２２ａ，１２２ｂが、狭幅部分に取付穴１２２ｃ，１２２ｂがそれぞれ形成されている。本実施形態の場合、取付穴１２２ｂ及び取付穴１２２ｃにおいてネジ止めされている。取付穴１２２ｂ及び取付穴１２２ｃは、係合フック１１から内側に向かう線（図中矢印方向）と直交する線上に設けられている。
【００２９】
係合フックベース１２の断面形状を図６に示す。図６は、図５のＣ−Ｃ断面図である。図６に示すように、係合フックベース１２は、載置板Ｋ２に沿って載置される底板部１２ａと、底板部１２ａから垂直に立ち上がり側板Ｋ３に沿う立壁部１２ｂと、を有するＬ字状断面を有している。
【００３０】
係合フック１１の断面形状を図７に示す。図７は、図５のＤ−Ｄ断面図です。図７に示すように、係合フック１１は、載置板Ｋ２に沿って載置される底板部１１ａと、底板部１１ａから垂直に立ち上がり側板Ｋ３に沿う立壁部１１ｂと、底板部１１ａと平行になるように立壁部１１ｂの上端部から延びる上板部１１ｃと、を有するコ字状断面を有している。
【００３１】
係合フック１１のコ字状断面における開口は、給排水ホース４の外形寸ｄよりも高さ方向において広くなるように形成されている。すなわち、底板部１１ａと上板部１１ｃとの距離ｈ１は、給排水ホース４の外形寸よりも大きくなるように形成されている。
【００３２】
引き続いて、係合部材２０について図８〜図１１を参照しながら説明する。図８は、食器洗浄機ＷＭを食器洗浄機収納部Ｋ１に設置する際の、係合部材２０及び係合フック部材１０の状態を説明するための図であって、食器洗浄機収納部Ｋ１の後方から食器洗浄機ＷＭ側を見た斜視図である。図９は、図８の矢印Ｅ側から見た図である。図１０は、係合部材２０と係合フック部材１０とが嵌り合った様子を示す図である。図１１は、図１０の給排水ホース４側から係合部材２０及び係合フック部材１０を見た図である。
【００３３】
食器洗浄機ＷＭを食器洗浄機収納部Ｋ１に押し込んでいくと、係合部材２０は食器洗浄機ＷＭの本体ケース２の後端部の一側（本実施形態の場合は、食器洗浄機収納部Ｋ１に表側から向って右側）に、係合フック部材１０は食器洗浄機収納部Ｋ１の後端部の一側に、それぞれ対応させて設けられているので、図８に示すように、係合フック部材１０の係合フック１１に係合部材２０が接近する。
【００３４】
また、図８及び図９に示すように、係合部材２０は、取付部２１と、係合部２２と、折曲形成部２３とを有している。
【００３５】
取付部２１は、係合部材２０を食器洗浄機ＷＭの本体ケース２に取り付けるための部分である。取付部２１には図９に明示しない取付穴が２つ設けられていて、係合部材２０はその取付穴を利用して本体ケース２にネジ止めされる。
【００３６】
係合部２２は、取付部２１から略水平に延びている部分であって、係合フック１１と係合するための部分である。係合部２２の上面には、取付部２１から折曲形成部２３に向かう方向に沿った突起部２２１が設けられていて、係合部２２と係合フック１１とはこの突起部２２１において線接触するように構成されている。
【００３７】
折曲形成部２３は、係合部材２０の先端を下方に折り曲げるように形成されている部分であって、係合部２２から延びる部分である。折曲形成部２３は、係合フック１１のコ字状断面における開口と給排水ホース４との間に生じうる隙間ｇよりも高さ方向において長くなるように形成されている。すなわち、給排水ホース４と係合フック１１の上板部１１ｃとの間の隙間ｇの長さよりも、折曲形成部２３の高さ方向における長さｈ２が長くなるように形成されている。図１０に示すように、係合部材２０が係合フック１１に嵌り込むと、係合フック１１内に給排水ホース４があっても折曲形成部２３によって押し出すことができる。
【００３８】
図１１に示すように、係合部材２０が係合フック１１に嵌り込むと、係合フック１１の上板部１１ｃと係合部材２０の突起部２２１とが線接触する。突起部２２１は、係合部２２の立壁部１１ｂに近い方の端部を盛り上がらせて形成されているので、上板部１１ｃとは立壁部１１ｂに近い方において線接触している。このように、係合フック１１と係合部材２０とが、係合フック１１の立壁部１１ｂに近い方において線接触しているので、係合部材２０から係合フック１１に伝達される力は立壁部１１ｃに沿った方向に極めて近くなり、係合フック１１のコ字状断面を開こうとする力の作用を弱めることができる。
【００３９】
尚、本実施形態においては、係合部材２０と係合フック１０とが線接触するように、係合部２２に突起部２２１を形成したが、図１２に示すように係合部材２０と係合フック１０とが点接触するように突起部２２１ａを形成することも好ましい。係合部材２０と係合フック１０とが点接触していると、係合部材２０から係合フック１０に伝達される力の方向をより垂直に近づけることができる。
【００４０】
引き続いて本実施形態の作用効果について説明する。本実施形態に係る転倒防止フック構造は、本体ケース２に対して引き出し可能に設けられた洗浄槽３を有する食器洗浄機ＷＭを、キッチンＫの食器洗浄機収納部Ｋ１内に配置するための食器洗浄機ＷＭの転倒防止フック構造であって、本体ケース２の後端部に設けられた係合部材２０と、食器洗浄機収納部Ｋ１内に設けられ、係合部材２０が係合するための係合フック１１と、を備え、係合フック１１は、洗浄槽３を引き出す方向と直交する方向において、食器洗浄機収納部Ｋ１の内方側が開放されているコ字状断面を有する。
【００４１】
この構成によれば、係合フック１１がコ字状断面を有するように形成するので、簡単な構成で係合部材２０と係合させることができる。係合フック１１のコ字状断面は、洗浄槽３の引き出し方向に直交する方向であって食器洗浄機収納部Ｋ１の内方側が解放された断面として形成されているので、洗浄槽３の引き出し方向に沿って食器洗浄機ＷＭを食器洗浄機収納部Ｋ１内に配置する際に食器洗浄機ＷＭから延びている給排水ホース４等が係合フック１１に嵌まってしまった場合でも、食器洗浄機ＷＭを押し込むことで給排水ホース４を損傷させずにそのまま後方に押し出すことができる。
【００４２】
また、係合部材２０と係合フック１１とが、本体ケース２及び食器洗浄機収納部Ｋ１の対応する一側の端部にそれぞれ設けられているので、係合部材２０及び係合フック１１を、洗浄槽３の引き出し方向に直交する方向における一方の側に偏倚させて設けることになる。従って、給排水ホース４が係合フック１１に嵌り込みにくくなる。また、係合部材２０及び係合フック１１は一側の端部にのみ設けられているので、係合部材２０及び係合フック１１を最小限の個数とすることができる。
【００４３】
また、係合部材２０と係合フック１１とが、本体ケース２及び食器洗浄機収納部Ｋ１の対応する一側にそれぞれ設けられ、食器洗浄機ＷＭに給排水するための給排水ホース４は食器洗浄機ＷＭの他側に設けられている（図３参照）。この態様によれば、係合部材２０及び係合フック１１と給排水ホース４とをそれぞれ別の側に設けているので、係合部材２０及び係合フック１１と給排水ホース４との距離を引き離すことができ、給排水ホース４が係合フック１１に嵌り込みにくくなる。
【００４４】
また、係合部材２０と係合フック１１とが、本体ケース２及び食器洗浄機収納部Ｋ１の対応する一側にそれぞれ設けられ、係合フック１１を保持するための係合フックベース１２は、食器洗浄機収納部Ｋ１の側板Ｋ３に沿う立壁１２ｂを備えたＬ字状断面を有する。本体ケース２から洗浄槽３を引き出し可能に設けた食器洗浄機ＷＭでは、洗浄槽３を最も引き出した状態では食器洗浄機ＷＭの重心が最も前方に移動し、かつレバー長が最大となるため係合フックベース１２に作用する曲げモーメント力が最大値の状態となる。更にこの状態においては、洗浄槽３の重さに加えて食器の重さが加わるだけでなく使用者の押し下げ力が作用する場合もあるため、非常に大きな力が係合フックベース１２に上方向の垂直荷重として作用する。特に、係合フックベース１２は、給排水ホース４との干渉をより効果的に回避するため、一側に偏倚させて設けられているので、中心付近に設ける場合に比較してレバー長がより長くなって大きな力が作用する。係合フックベース１２はこの大きな荷重が作用しても変形が生じないように作る必要があるが、この大きな荷重に抗するように係合フックベースを構築すると、大きくて強靭な物として作る必要があった。係合フックベースが大きくなっても洗浄槽の大きさは従来と変わらず確保したいが、食器洗浄機収納部Ｋ１の大きさを広げることは他のキッチン部材との関係から難しく、結果として洗浄槽の空間を犠牲にすることに?がっていた。このような課題に対し、本実施形態に係る転倒防止フック構造においては、係合フックベース１２に作用する垂直方向の入力荷重と平行になるように係合フックベース１２に垂直方向に立設した立壁１２ｂを備えたことによって、係合フックベース１２への入力荷重を効率よくこの立壁で支えることができることから、構造を簡単なものとできる。さらに、この立壁１２ｂを食器洗浄機収納部Ｋ１の側壁Ｋ３に沿うようにし、係合フックベース１２をＬ字状としたことで、食器洗浄機収納部Ｋ１に食器洗浄機ＷＭを収納する際の妨げとなる突起や部材を排除することができ、洗浄槽３の空間を犠牲にすることがない。さらに、係合フックベース１２の立壁１２ｂを食器洗浄機収納部Ｋ１の側壁Ｋ３に沿わせることで、例えば係合フックベース１２に捩れを生じさせるような入力荷重があった場合でも、立壁１２ｂから側壁Ｋ３に荷重が伝達されるので荷重分散を図ることができ、簡単でシンプルな係合フックベースであっても変形を確実に抑えることができる。
【００４５】
また、係合部材２０が係合フック１１に対して点接触若しくは立壁１１ｂに平行となる線接触となるように、係合部材２０および係合フック１１が構成されている（図８〜図１２参照）。この態様によれば、係合部材２０が係合フック１１に対して点接触若しくは立壁１１ｂ（立壁１２ｂ）に平行となる線接触となるように構成されているので、係合フックベース１２を捩るような力が作用することを抑制して、Ｌ字状断面というシンプルな構造であっても確実に荷重を支えることができるようにしたものである。具体的には、係合フックベース１２は給排水ホースとの干渉を避ける為に一側に設けられているため、係合フックベース１２には大きな捩りモーメントが作用する。Ｌ字状の係合フックベース１２は、この捩りモーメントに対して立壁１２ｂが捩られることでこの入力加重に対抗する必要があるが、その捩り抗力のみで対抗しようとすると板厚を相当に厚くするなどの対策が必要であり、係合フックベース１２が大きくなって洗浄槽３の空間が大きく犠牲になってしまう。本実施形態に係る転倒防止フック構造は、Ｌ字状断面の唯一の強度部分をねじるような力が作用するのを防止して確実にこの立壁１２ｂだけで強度を保てるように工夫している。すなわち、係合フック１１と係合部材２０とが点接触となるようにすれば、係合フック１１を垂直に持ち上げるような力が作用し、係合フック１１及び係合フックベース１２を捩るような力は働きにくくなる。また、係合フック１１と係合部材２０とが立壁１１ｂと平行の線接触となるようにすれば、同様に立壁１１ｂ（立壁１２ｂ）を捩るような力は働きにくくなる。従って、Ｌ字状の係合フックベース１２であっても立壁１２ｂが確実に荷重に対抗する力を発揮するため、大きな転倒荷重が入力されても変形することなく支えることがきる。
【００４６】
また、係合フック１１のコ字状断面における開口は、食器洗浄機ＷＭに給排水するための給排水ホース４の外径寸よりも高さ方向において広くなるように形成されている。この態様によれば、給排水ホース４が係合フック１１に嵌り込んでも、給排水ホース４の外径寸よりも係合フック１１の開口が広くなっているので、給排水ホース４が係合フック１１に嵌り込み続けることなく後方に押し出される。
【００４７】
また、係合部材２０は、その先端が下方に折れ曲げるように形成され、食器洗浄機ＷＭに給排水するための給排水ホース４に当接するように形成された折曲形成部２３を有し、折曲形成部２３は、係合フック１１のコ字状断面における開口と給排水ホース４との間に生じうる隙間ｇよりも高さ方向において長くなるように形成されている。この態様によれば、食器洗浄機ＷＭに設けられた係合部材２０の先端に折曲形成部２３が設けられ、この折曲形成部２３は給排水ホース４に当接するように形成されているので、給排水ホース４が係合フック１１に嵌り込んだ場合であっても、折曲形成部２３が給排水ホース４に当接して係合フック１１から後方に押し出し、給排水ホース４が係合フック１１に嵌り込み続けることがない（図１０参照）。
【００４８】
また、食器洗浄機収納部Ｋ１は後方が開放されており、その開放部分Ｋ４に係合フック１１が突出するように設けられている（図４参照）。この態様によれば、食器洗浄機収納部Ｋ１後方の開放部分Ｋ４に係合フック１１が突出しているので、係合フック１１に嵌り込んだ後に押し出された給排水ホース４がその開放部分Ｋ４に落とし込まれ、給排水ホース４に無理な力をかけることなく食器洗浄機ＷＭの設置をすることができる。
【００４９】
また、食器洗浄機収納部Ｋ１は後方が開放されており、その開放部分Ｋ４に食器洗浄機ＷＭに給排水するための給排水ホース４を落下させるように、係合フック１１には傾斜ガイド面１２１ａが形成されている。この態様によれば、係合フック１１に傾斜ガイド面１２１ａが形成され、その傾斜ガイド面１２１ａから給排水ホース４が開放部分Ｋ４に落とし込まれるので、より容易に給排水ホース４を開放部分Ｋ４に落とし込むことができる。
【図面の簡単な説明】
【００５０】
【図１】本発明の実施形態である転倒防止フック構造が適用されたキッチンを示した図である。
【図２】図１のＡ領域を拡大した図である。
【図３】図１のキッチンを後方壁面側から見た図である。
【図４】載置板に係合フック部材を取り付けた状態を示す平面図である。
【図５】係合フック部材の平面図である。
【図６】図５のＣ−Ｃ断面図である。
【図７】図５のＤ−Ｄ断面図である。
【図８】食器洗浄機を食器洗浄機収納部に設置する際の、係合部材及び係合フック部材の状態を説明するための図である。
【図９】図８の矢印Ｅ視図である。
【図１０】図９から更に食器洗浄機を奥に押し込んだ場合を示す図である。
【図１１】図１０の給排水ホース側から係合部材及び係合フックを見た図である。
【図１２】係合部材の変形例を示す図である。
【符号の説明】
【００５１】
Ｋ…キッチン、Ｋ１…食器洗浄機収納部、Ｋ２…載置板、Ｃ…カウンター、ＣＢ…キャビネット、ＷＭ…食器洗浄機、２…本体ケース、３…洗浄槽、１０…係合フック部材、２０…係合部材、１１…係合フック、１２…係合フックベース。
【図１】
2009005742.tif 000003
【図２】
2009005742.tif 000004
【図３】
2009005742.tif 000005
【図４】
2009005742.tif 000006
【図５】
2009005742.tif 000007
【図６】
2009005742.tif 000008
【図７】
2009005742.tif 000009
【図８】
2009005742.tif 000010
【図９】
2009005742.tif 000011
【図１０】
2009005742.tif 000012
【図１１】
2009005742.tif 000013
【図１２】
2009005742.tif 000014